(57)【要約】      （修正有）【課題】簡素で容易に製造できる構成でありながら、臀部周辺の体型補整を効果的に行うことができる下着を提供する。【解決手段】下臀部１０から下腹部１２および腰部１１に渡って配置された比較的強い引っ張り応力を備えた当て布５を有し、この当て布５が下臀部１０を腰部１１によって上方に引き上げる引上げ端部と、下臀部１０から下腹部１１を締め付ける締付け端部と、引上げ端部を締付け端部から分けるように形成された切込み部とを有する。【選択図】図３
0003134739.tif 000002
【実用新案登録請求の範囲】
【請求項１】
下臀部から下腹部および腰部に渡って配置された比較的強い引っ張り応力を備えた当て布を有し、この当て布が下臀部を腰部によって上方に引き上げる引上げ端部と、下臀部から下腹部を締め付ける締付け端部と、前記引上げ端部を締付け端部から分けるように形成された切込み部とを有することを特徴とする下着。
【請求項２】
前記当て布は、ポリウレタン繊維と脂肪族ポリアミド繊維を合わせてネット状に編んだ経編生地である請求項１に記載の下着。
【請求項３】
下腹部に当接する前身頃と、この前身頃の左右両側に縫合されると共に臀部の中心線において縫合される左右の身頃と、前記前身頃と左右の身頃の下端部に縫合される股布と有し、前記当て布を左右の身頃の内側に添わせた状態でその下端部を股布に縫合し、前記引上げ端部および締付け端部の上端を左右の身頃の上端に縫合し、締付け端部の前端を前身頃に縫合したものである請求項１または２に記載の下着。
【請求項４】
前記当て布は左右の身頃に比べて小さく形成され、幾らか引き延ばされた状態で左右の身頃に縫合された縫合部を有し、かつ、下臀部においては当て布の内側縁部を左右の身頃に縫合しない請求項３に記載の下着。
【請求項５】
腰周りに配置される比較的強い引っ張り応力を備えた帯状の布を有し、この帯状の布に前記左右の身頃と引上げ端部と締付け端部の上端が接続される請求項１〜４の何れか１項に記載の下着。
【考案の詳細な説明】
【技術分野】
【０００１】
本考案は、下着に関するものであり、より詳細には着用することにより体型を整えて臀部に丸みのある立体的なラインを形成するように身体の引き締めおよび引き上げを行うことができる下着に関する。
【背景技術】
【０００２】
従来より、着用することにより体型を補整する下着（ショーツ、ガードル、インナーボトム、スパッツ、パンティストッキングなど）が考案され実用化されている。
【０００３】
特開平９−１１９００３号公報には、パンティストッキングにおいて臀部の体型を補整するために、大腿部から臀部の膨らみに対して上部に変位させた位置まで配置された、上レッグ帯状部分、ヒップ周辺部分、丸形状部分における締付力を順に小さくするように、パンティストッキングの編組織を異ならせることが記載されている。この構成により、ヒップアップ効果に優れたガードルタイプのパンティストッキングを得ることができる。
【考案の開示】
【考案が解決しようとする課題】
【０００４】
しかしながら、前記特許文献１に記載の構成では、締付力を適正に与えてヒップアップ効果を得るために上レッグ帯状部分、ヒップ周辺部分の形状は複雑にならざるを得なかった。これを、ショーツなどで実現するためには、体型補整のための締め付けを行うために形の異なる多数のパーツが必要となり、これが製造コスト引き上げの原因となることは避けられなかった。
【０００５】
さらに、臀部の効果的な引き上げを行うためには前記ヒップ周辺部分における締め付けのみならず、臀部の持ち上げを同時に行って臀部周辺に立体的な補整を行うことが望ましいが、そのためには更に多くのパーツが必要となることは避けられなかった。
【０００６】
本考案は上述の事柄を考慮に入れてなされたものであって、その目的は、簡素で容易に製造できる構成でありながら、臀部周辺の体型補整を効果的に行うことができる下着を提供することを課題とする。
【課題を解決するための手段】
【０００７】
前記課題を解決するため、本考案は、下臀部から下腹部および腰部に渡って配置された比較的強い引っ張り応力を備えた当て布を有し、この当て布が下臀部を腰部によって上方に引き上げる引上げ端部と、下臀部から下腹部を締め付ける締付け端部と、前記引上げ端部を締付け端部から分けるように形成された切込み部とを有することことを特徴とする下着を提供する（請求項１）。
【０００８】
前記当て布は比較的強い引っ張り応力を備えたものであるから、この当て布を下臀部から下腹部および腰部に渡って配置することにより、着用時に臀部下部と下腹部と腰部との間に引っ張り応力を発生させるものである。下臀部を腰部によって引き上げる前記引上げ端部と、下臀部から下腹部を締め付ける締付け端部を分けるように形成された切込み部は、下臀部に対して引上げる力と締付ける力が適正に働くように作用し、臀部に立体的な体型補整の力を与えることができる。
。
【０００９】
前記当て布は、ポリウレタン繊維と脂肪族ポリアミド繊維を合わせてネット状に編んだ経編生地である（請求項２）ことが好ましい。ネット状の経編生地からなる当て布は通気性に優れる。ポリウレタンは高温領域から低温領域までゴムのような弾性を有し、耐摩耗性および機械的強度に優れている。一方、脂肪族ポリアミド（ナイロン）は滑りが良く、強度および耐摩耗性に優れており、ナイロン繊維をウレタン繊維に混紡することで強度をさらに引き上げることができる。したがって、ポリウレタン繊維とナイロン繊維を合わせてネット状に編んだ当て布は伸縮性に優れており、かつ、十分な強度を有する。また、当て布はその編み方によって引っ張り応力に方向性を持たせることができ、下臀部を引き上げる力と締付ける力の大きさを適宜設定することが可能である。
【００１０】
また、前記下着は、下腹部に当接する前身頃と、この前身頃の左右両側に縫合されると共に臀部の中心線において縫合される左右の身頃と、前記前身頃と左右の身頃の下端部に縫合される股布と有し、前記当て布を左右の身頃の内側に添わせた状態でその下端部を股布に縫合し、前記引上げ端部および締付け端部の上端を左右の身頃の上端に縫合し、締付け端部の前端を前身頃に縫合したものである（請求項３）ことが好ましい。当て布はその端部において前身頃、左右の身頃、股布に縫合されるが、全面に亘って左右の身頃に密着するものではないので、身体に容易に密着でき、効果的な締め付け作用および引き上げ作用を有するものである。また、前記前身頃は下腹部の膨出を抑えるものである。
【００１１】
前記当て布は左右の身頃に比べて小さく形成され、幾らか引き延ばされた状態で左右の身頃に縫合された縫合部を有し、かつ、下臀部においては当て布の内側縁部を左右の身頃に縫合しない（請求項４）ことが好ましい。すなわち、当て布は左右の身頃に比べて小さいので、下臀部に対するより強力な引き上げ力および締め付け力を得ることができる。また、当て布が縫合線上に左右の身頃に縫合されているので、当て布の位置ずれを防止し、下臀部においては当て布の内側縁部を左右の身頃に縫合しないことにより、下臀部において突っ張ったような使用感を与えることがなく、当て布は身体に密着できる。
【００１２】
腰周りに配置される比較的強い引っ張り応力を備えた帯状の布を有し、この帯状の布に前記左右の身頃と引上げ端部と締付け端部の上端が接続される（請求項５）ことが好ましい。前記帯状の布は腰回りにおいて引上げ端部と締付け端部に接続されるので、下着の上端における縫い目をなくすことができ、この接続部分が下着の上端に位置する場合に比べて、外衣を着用したときにおける下着の上端部の稜線を表れにくくすることができる。
【考案の効果】
【００１３】
前述したように、本考案によれば、当て布による引っ張り応力を適正に配分して、下臀部を腰部によって上方に引き上げると共に、下臀部から下腹部を締め付けることができ、ボディラインを適正に補整することができる。当て布に形成する切込み部は下着本体の布地に縫合される必要がないので、着用時に切込み部の境界線が下着表面に表れにくく、より自然に体型補整を行うことができる。また、一枚の当て布によって下臀部に立体的な力を作用させることができるので、体型補整機能を有する下着を少ないパーツで製造することが可能となり、その製造コストを引き下げることができると共に、体型補整のためのパーツが少なければ少ないほど着用時に通常の下着と見分けが付きにくく目立たない。
【００１４】
当て布の上下端部を下着本体を構成する前身頃、左右の身頃、股布に縫合する場合には使用者の体型に合わせて、当て布の全面が身体に密着しやすくなり、着用時における突っ張り感を軽減することができる。
【００１５】
当て布を左右の身頃に比べて小さく形成する場合には、当て布の引っ張り応力を引き上げることができ、当て布の縁部を縫合しないことにより、生地の突っ張り感を緩和して、着心地を良くすることができる。
【考案を実施するための最良の形態】
【００１６】
図１〜図６は、本考案の第１実施形態に係る下着１の構成を示す図である。本実施例の下着１は、下腹部に当接する前身頃２と、この前身頃２の左右両側に縫合されると共に臀部の中心線において縫合される左右の身頃３（以下、区別が必要なときは左身頃３Ａ、右身頃３Ｂという）と、前身頃２と左右の身頃３の下端部に縫合される股布４と、左右の身頃３の内側に添わせた状態で少なくともその上端部において前身頃２または左右の身頃３に縫合され下端部において股布４に縫合される当て布５（以下、区別が必要なときは左当て布５Ａ，右当て布５Ｂという）と、前身頃２の下端部両側に取り付けられる前レース６と、左右の身頃３の両側に取り付けられる横レース７とを備え、左右の身頃３の上端部には伸縮性に富み比較的強い引っ張り応力を備えた帯状の布（ゴム紐など）８が縫合されている。
【００１７】
前記前身頃２を構成する生地２０は、例えば、図４の拡大図に示すように、綿糸２１の間にポリウレタン繊維と脂肪族ポリアミド繊維の混紡糸２２を交互に配置して天竺編みした表裏両側（二枚）のメリヤス生地２３，２４を接着または溶着したものであり、十分な強度と、より強い引っ張り応力を有するものである。また、生地２０の下部の左右両側の辺２０ａ，２０ｂには、この辺２０ａ，２０ｂを覆うように帯状の前レース６を縫合している。一方、生地２０の上部の左右両側の辺２０ｃ，２０ｄは前記左右の身頃３に縫合される。
【００１８】
前記左右の身頃３は、図５に示すように、略台形の生地３０からなる左右それぞれの身頃３Ａ，３Ｂを臀部の中心線Ｌにおいて縫合したものであり、この生地３０の下部の左右両側の辺３０ａ、３０ｂには、これを覆うように帯状の横レース７を縫合され、生地３０の上部の左右両端の辺３０ｃ，３０ｄは前記生地２０の辺２０ｃ，２０ｄに縫合される。また、前記生地３０は図示を省略するすが、綿糸の間にポリウレタン繊維と脂肪族ポリアミド繊維の混紡糸を間欠的に配置して天竺編みしたものであり、十分な伸縮性を有すると共に、耐摩耗性と吸水性に優れたものである。
【００１９】
前記股布４は、図６に示すように、前身頃２の生地２０の下辺２０ｃおよび前レース６に縫合される辺４０ａと、前記生地３０の下辺３０ｅ，３０ｆおよび横レース７に縫合される辺４０ｂと、伸縮性に富みより強い引っ張り応力を備えた帯状の布（ゴムひも）４１を縫合する辺４０ｃ，４０ｄを有する生地４０からなる。また、この生地４０は綿糸のみを天竺編みした吸水性に優れた生地と、綿糸の間にポリウレタン繊維と脂肪族ポリアミド繊維の混紡糸を間欠的に配置して天竺編みした生地を重ねたものであり、吸水性と十分な耐摩耗性を有するものである。
【００２０】
前記当て布５は、図５の拡大図に示すように、ポリウレタン繊維と脂肪族ポリアミド繊維を合わせてネット状に編んだ、いわゆるパワーネットに代表される伸縮性（ストレッチ性）に富んだ縦編みの経編生地５０であり、本実施形態では左当て布５Ａと右当て布５Ｂを２枚の経編生地５０によって形成し、臀部の中心線Ｌにおいて縫合されるように構成している。
【００２１】
また、当て布５の形状は、その下辺５０ａ，５０ｂが前記生地３０の下辺３０ｅ，３０ｆに縫合され、その上部は略Ｖ字状の切込み部５ａによって引上げ端部５ｂと締め付け端部５ｃに分けられ、引上げ端部５ｂの上辺５０ｃ，５０ｄが生地３０の上辺３０ｇ，３０ｈに縫合され、締め付け端部５ｃの上辺５０ｅ，５０ｆが生地３０の上辺３０ｇ，３０ｈおよび前記生地２０の左右両側の辺２０ｃ，２０ｄに縫合されるように構成している。さらに、本実施形態の当て布５は一点鎖線に示す縫合部Ｌａ〜Ｌｄにおいて大まかに生地３０に縫合される。これらの縫合部Ｌａ，Ｌｃは下臀部に対応する部分においては、当て布５の内側縁部を身頃３に縫合することがないように、当て布５の幅方向中心部を縫合するものである。なお、縫合部Ｌａ〜Ｌｄは縫合方向に容易に伸縮するようにジグザグ縫いされていることが好ましい。
【００２２】
なお、当て布５は、図３に示す下着１の着用時において、当て布５の下端部が下臀部１０に位置すると共に、前記引き上げ端部５ｂが腰部１１に位置し、前記締付け端部５ｃが下腹部１２位置するように前記切込み部５ａによって略ｙ字状に切断されたものである。なお、図示する矢印Ａは引き上げ端部５ｂによって下臀部１０を腰部１１に引き上げる方向を示す矢印であり、矢印Ｂ，Ｃは当て布５の下端から締付け端部５ｃに渡って下臀部１０から下腹部１２を締付ける方向を示す矢印である。
【００２３】
本実施形態の当て布５の経編生地５０は、前記合成樹脂からなる繊維をネット状に編んだものであるから、左右の身頃３や股布４に比較して強い引っ張り応力を有するものであり、かつ、多数の通気孔ｈを有する。また、前記経編生地５０はその編み方によって引っ張り応力および伸縮性に方向性を有する。本実施形態では、生地編成の縦方向である矢印Ｘ方向により良い伸縮性とより強い引っ張り応力を有するものである。なお、前記経編生地５０は前記切込み部５ａを有するので、前記パワーネットのようにどこで切断しても解れることがない編成が施された経編生地であることが好ましい。
【００２４】
そして、左当て布５Ａと右当て布５Ｂを異なる経編生地５０によって形成することにより、前記矢印Ｂ，Ｃの方向（締め付け方向）により大きく伸縮するように構成している。つまり、当て布５は下臀部１０を腰部１１によって上方に引き上げるに足りる引っ張り応力を有するものであり、かつ、下臀部１０と下腹部１２の間で締め付けを行って下臀部１０および下腹部１２の膨出を抑えることができる程度の引っ張り応力を有するものである。
【００２５】
前記帯状の布８は下着１を着用した状態で腰周りに配置されるものであり、前記生地３０の上辺３０ｇ，３０ｈに添わせた状態でこれに縫合されて、下着１の位置がずれないようにしっかりと保持するものである。本実施形態の帯状の布８は生地３０との間に当て布５の引き上げ端部５ｂおよび締付け端部５ｃを挟んだ状態で生地３０と縫合されるものである。
【００２６】
すなわち、上記構成の下着１が通常の下着と異なっている主要な点は、切込み部５ａによって引上げ端部５ｂと締付け端部５ｃを分けるように形成された当て布５を下着本体の内側に配置する用に取り付けたことであり、一枚（または左右１対）の生地５０だけで体型補整機能を持たせた下着１を形成している点である。
【００２７】
図１〜図３に示すように、使用者が前記構成の下着１を着用すると、前記当て布５が使用者の皮膚に当接し、矢印Ａに示すように下臀部１０が腰部１１によって上方に引き上げられると共に、矢印Ｂ，Ｃに示すように下臀部１０と下腹部１２が締付けられる。つまり、図３に一点鎖線にして示す臀部１３に立体的な力を作用させて、実線にして示すような持ち上げられた臀部１３となるようにその体型を補整することができる。同様に、一点鎖線にして示す下腹部１２を実線に示すように引き締めることができる。
【００２８】
このとき、当て布５は左右の身頃３に密着するように設けたものではなく、幾らか浮かせた状態で上下の辺５０ａ〜５０ｄと前記縫合線Ｌａ〜Ｌｄの部分のみを生地３０に縫合しているので、当て布５が使用者の肌に密着しやすくなり、つっぱり感を与えることなく効果的に体型補整を行うことができる。また、当て布５は略Ｖ字状の切込み部５ａを形成しているので、この切込み部５ａの部分において不必要に身体を圧迫することがなく、それだけ自然な丸みを帯びたボディラインに体型を補正することができる。
【００２９】
また、当て布５が合成樹脂繊維をネット状に編んだ経編生地５０によって形成されるゆえに、この当て布５が肌に密着した状態でも通気孔ｈによって通気性を確保することができるだけでなく、当て布５の切り方を調整することにより、前記矢印Ａ〜Ｃに示す各引っ張り応力の強さや伸縮性を調整することができる。
【００３０】
図７，８は第二実施形態の下着１’の構成を示す図である。図７，８において、図１〜６と同じ符号が付された部材は同一または同等の部材であるから、その詳細な説明を省略する。
【００３１】
図７，８において、９は左右の身頃３の上辺３０ｇ，３０ｈに熱圧着によって熱溶着させて接着される帯状の布である。この帯状の布９はポリウレタンなどの熱によって溶着可能な合成樹脂繊維からなる布であり、左右の身頃３の生地３０と帯状の布９の間に前記当て布５の上辺５０ｃ〜５０ｆを挟んだ状態で熱溶着されるものである。なお、この帯状の布９は前身頃２の生地と同じ引っ張り応力を有するように、二枚のメリヤス生地の間にポリウレタンからなるシートを介在させて熱溶着した生地であることが好ましい。
【００３２】
上記のように構成することにより、前記当て布５の引上げ端部５ｂと締付け端部５ｃを縫合することなく左右の身頃３の上辺３０ｇ，３０ｈに取り付けることができる。つまり、第二実施形態の下着１’はその上端部において縫い目がないので、凹凸が少なくなり、外衣に稜線が生じにくくなる。つまり、いわゆるアウターに響くことを防止できる。
【図面の簡単な説明】
【００３３】
【図１】本考案の第１実施形態に係る下着の構成を示す正面図である。
【図２】前記下着の構成を示す背面図である。
【図３】前記下着の構成を示す側面図である。
【図４】前記下着の前身頃の構成を一部拡大して示す図である。
【図５】前記下着の左右の身頃の構成を一部拡大して示す図である。
【図６】前記下着の股布の構成を示す図である。
【図７】第二実施形態に係る下着の構成を示す正面図である。
【図８】前記下着の背面図である。
【符号の説明】
【００３４】
１，１’    下着
２          前身頃
３          左右の身頃
４          股布
５          当て布
５ａ        切込み部
５ｂ        引上げ端部
５ｃ        締付け端部
５０        経編生地
８，９      帯状の布
２１        綿糸
２２        混紡糸
２３，２４  メリヤス生地
２５        シート
Ｌａ〜Ｌｄ  縫合部
【図１】
0003134739.tif 000003
【図２】
0003134739.tif 000004
【図３】
0003134739.tif 000005
【図４】
0003134739.tif 000006
【図５】
0003134739.tif 000007
【図６】
0003134739.tif 000008
【図７】
0003134739.tif 000009
【図８】
0003134739.tif 000010